(57)【要約】      （修正有）【課題】聴衆に対して演者が本のような原稿を捲りながら朗読する場合への適用を可能とする朗読支援装置を提供する。【解決手段】朗読原稿Ｂが載置される載置部１３を備えた載置台１４と、載置部の後方側に設けられた反射ミラー１５と、反射ミラーよりも前方側上方に設けられたハーフミラー１６と、を有し、反射ミラーの反射による朗読原稿の逆像をさらにハーフミラーで反射した正像を、載置台の後方の演者に対し虚像として映し出すとともに、ハーフミラーを透過した載置台よりも前方側の背景実像を演者２Ｐに対し映し出す、朗読支援装置であって、載置部に載置された朗読原稿を照明する原稿用スポットライトと、前後方向における位置が、ハーフミラーと演者との間になるように設けられ、演者を照明する演者用スポットライト４０と、を有する。【選択図】図２
0003231455.tif 000002
【実用新案登録請求の範囲】
【請求項１】
朗読原稿が載置される載置部を備えた載置台と、
前記載置部の後方側に設けられた反射ミラーと、
前記反射ミラーよりも前方側上方に設けられたハーフミラーと、
を有し、
前記反射ミラーの反射による前記朗読原稿の逆像をさらに前記ハーフミラーで反射した正像を、前記載置台の後方の演者に対し虚像として映し出すとともに、前記ハーフミラーを透過した前記載置台よりも前方側の背景実像を前記演者に対し映し出す、朗読支援装置であって、
前記載置部に載置された前記朗読原稿を照明する原稿用スポットライトと、
前後方向における位置が、前記ハーフミラーと前記演者との間になるように設けられ、前記演者を照明する演者用スポットライトと、
を有することを特徴とする朗読支援装置。
【請求項２】
前記ハーフミラーは、前記載置台に対して高さ方向に可変とする高さ可変機構部を介して支持されている
ことを特徴とする請求項１に記載の朗読支援装置。
【請求項３】
前記ハーフミラーは、前記載置台に対して傾斜角度を可変とする角度可変機構部を介して支持されている
ことを特徴とする請求項１又は請求項２に記載の朗読支援装置。
【請求項４】
前記原稿用スポットライトは、前記載置部の両端から外れた載置台内側位置にあって、
前記載置台の左端部近傍に設けられて右向きに照明光を照射する左側ライトと、
前記載置台の右端部近傍に設けられて左向きに照明光を照射する右側ライトと、
を有することを特徴とする請求項１乃至請求項３の何れか１項に記載の朗読支援装置。
【請求項５】
前記演者用スポットライトは、
前記ハーフミラーの上縁よりも上方かつ前方に位置して下向きに照明光を照射する上側ライトと、
前記反射ミラーの上縁よりも下方かつ後方に位置して上向きに照明光を照射する下側ライトと、
を有することを特徴とする請求項１乃至請求項４の何れか１項に記載の朗読支援装置。
【請求項６】
前記下側ライトは、
前記反射ミラーの両端から外れた載置台外側位置にあって、左右１組み以上配置されている、
ことを特徴とする請求項５に記載の朗読支援装置。
【考案の詳細な説明】
【技術分野】
【０００１】
本考案は、朗読支援装置に係わり、特に、本などの複数ページに跨る原稿を捲りながら朗読する朗読支援装置に関する。
【背景技術】
【０００２】
従来から、原稿文書を透過するための光線を照射する発光部と、原稿文書の透過光線を反射し、かつ講演者から聴衆が視認可能であり聴衆からも講演者が視認可能なハーフミラーと、このハーフミラーの支持部材と、を有する原稿表示装置が知られている（例えば、特許文献１参照）。
【０００３】
この原稿朗読装置でハーフミラーは、講演者側（以下、「後方側」とも称する。）に向けて原稿の画像を反射し、聴衆側（以下、「前方側」とも称する。）からは講演者（以下、「演者」とも称する。）の顔を透過して見えるようにしている。
【先行技術文献】
【特許文献】
【０００４】
【特許文献１】特開平０８−０９４９５８号公報
【考案の概要】
【考案が解決しようとする課題】
【０００５】
しかしながら、上述した原稿表示装置にあっては、枚葉の原稿を裏返し、底面側から光線を照射して原稿を逆像として透過させたうえで、ハーフミラーで反射させて原稿を正像化することによって朗読を可能としている。
【０００６】
したがって、聴衆側からハーフミラーを透かして演者を視認することができるようになっているものの、本のような複数ページに跨るような原稿を用いた場合、底面側から光線が透過し難いうえ、例え、透明な原稿を用いて光線の透過を容易としたとしても、複数の頁が重なった状態で透過することとなってしまうため、文字を読み取ることができないという問題が生じていた。
【０００７】
また、上述した原稿表示装置にあっては、例えば、机や演台等に載置して使用する構造であるため、例えば、本のような長時間に亘る朗読の場合、演者が座って朗読を行うような朗読姿勢に対応することができないという問題が生じていた。
【０００８】
このように、上述した原稿表示装置にあっては、前方側の聴衆からハーフミラーを透かして後方側の演者を視認することができるようにしたものでありながら、聴衆に対して演者が本のような原稿を朗読する場合への適用については特に考慮されていなかった。
【０００９】
本考案の目的は、聴衆に対して演者が本のような原稿を朗読する場合への適用を可能とすることができる朗読支援装置を提供することにある。
【課題を解決するための手段】
【００１０】
上記課題を解決するため、本考案は、朗読原稿が載置される載置部を備えた載置台と、前記載置部の後方側に設けられた反射ミラーと、前記反射ミラーよりも前方側上方に設けられたハーフミラーと、を有し、前記反射ミラーの反射による前記朗読原稿の逆像をさらに前記ハーフミラーで反射した正像を、前記載置台の後方の演者に対し虚像として映し出すとともに、前記ハーフミラーを透過した前記載置台よりも前方側の背景実像を前記演者に対し映し出す、朗読支援装置であって、前記載置部に載置された前記朗読原稿を照明する原稿用スポットライトと、前後方向における位置が、前記ハーフミラーと前記演者との間になるように設けられ、前記演者を照明する演者用スポットライトと、を有するものである。
【００１１】
朗読支援装置は、市販の本や演劇用のシナリオ（脚本）のような複数頁に跨り、そのままの状態で直接読み取ることができる朗読原稿が載置台の載置部に載置される。
【００１２】
この載置部よりも演者側である後方側には反射ミラーが設けられており、この反射ミラーによって朗読原稿が聴衆側である前方側に逆像として反射される。
【００１３】
さらに、反射ミラーよりも聴衆側である前方側の上方にはハーフミラーが設けられており、反射ミラーで反射させた朗読原稿の逆像がハーフミラーで反射して正像化される。
【００１４】
この結果、載置台の後方側にいる演者に対しては、ハーフミラーで反射して正像化された虚像が映し出されるとともに、ハーフミラーを透過した載置台よりも前方側の背景実像（聴衆等）を演者に対し映し出すことができる。
【００１５】
また、載置部に載置された原稿用スポットライトによって朗読原稿が照明されるとともに、ハーフミラーと演者との間に設けられた演者用スポットライトによって演者が照明される。
【００１６】
このように、前方側の聴衆からハーフミラーを透かして後方側の演者を視認することができるようにしたものでありながら、聴衆に対して演者が本のような朗読原稿を朗読するに際して、一旦反射ミラーで逆像化したうえで、ハーフミラーの反射によって正像化されるため、聴衆が演者を見ながら朗読を視聴することができ、聴衆に対して演者が本のような原稿を朗読する場合への適用が可能となる。
【考案の効果】
【００１７】
本考案によれば、聴衆に対して演者が本のような原稿を朗読する場合への適用を可能とすることができる。
【図面の簡単な説明】
【００１８】
【図１】本考案に係る朗読支援装置の正面図である。
【図２】本考案に係る朗読支援装置の側面図である。
【図３】本考案に係る朗読支援装置の要部を分解した拡大斜視図である。
【図４】本考案に係る朗読支援装置の応用例を示す側面図である。
【図５】本考案に係る他の朗読支援装置の正面図である。
【図６】本考案に係る他の朗読支援装置の側面図である。
【考案を実施するための形態】
【００１９】
次に、本考案の一実施形態に係る朗読支援装置について、図面を参照して説明する。なお、以下の説明においては、朗読姿勢にあるときの演者を基準として前方（視線向き）、後方、上方、下方として説明する。
【００２０】
図１及び図２において、朗読支援装置１０は、基台１１と、基台１１に起立状態で固定された支柱１２と、支柱１２の上端に固定されて朗読原稿Ｂが載置される載置部１３を配置した載置台１４と、載置部１３の後方側に設けられた反射ミラー１５と、反射ミラー１５よりも前方側上方に設けられたアクリル板からなるハーフミラー１６と、を有する。
【００２１】
基台１１は、金属等のプレート状のものが用いられており、少なくとも載置部１３に装着された各構成部材並びに演者Ｐが手を載置台１４に添えた際に加わる荷重に対して安定し得る重量並びに接地面積を有するようになっている。
【００２２】
支柱１２は、金属や樹脂等の円柱体又は角柱体であり、長さ（高さ）は演者Ｐが立った状態での朗読並びに座った状態での朗読を許容する程度の高さで固定となっている。なお、支柱１２は、例えば、金属や樹脂等から中空の円柱体又は角柱体で構成し、インロー方式で上下方向に繋ぎ合わせることで伸縮可能としてもよい。
【００２３】
載置台１４は、木製又は樹脂製の筐体状に構成され、上方及び後方を開放しているとともに、左右の側壁１４ａに、後方に向かうほど（演者Ｐに接近するほど）下方に傾斜している。
【００２４】
載置部１３は、載置台１４の前壁１４ｂの近傍に位置して、例えば、本などの朗読原稿Ｂを立て掛けることができるとともに、演者Ｐの手作業による頁捲りを許容しつつ不測に頁が捲れてしまわないように前方側が高く後方側が低い断面略Ｕの字に形成された物が用いられている。なお、載置部１３の構成は上記に限定されない。この際、載置部１３は、載置台１４の前壁１４ｂの高さを朗読原稿Ｂ（例えば、Ａ４版以下）の高さよりも高くしたときに、この高さよりも低くし、聴衆から載置部１３及び朗読原稿Ｂが見えないようになっている。
【００２５】
反射ミラー１５は、朗読原稿Ｂから離間して対面する位置に配置されて朗読原稿Ｂを全反射するとともに、朗読原稿Ｂよりも広い面積を有しており、上方に向かうほど後方に傾斜して載置台１４に固定されている。反射ミラー１５は、その高さが載置台１４の前壁１４ｂの高さよりも低く設定されているが、少なくとも朗読原稿Ｂの全面を反射し得るようになっている。
【００２６】
ハーフミラー１６は、厳密な数値上の光学特性を意味するものではなく、例えば、アクリル板の後面側を反射面とするようハーフミラーコーティング処理が施され、アクリル板の前面側を透過面とするようコーティング処理が施された公知のハーフミラーを用いることができる。
【００２７】
これにより、反射ミラー１５の反射による朗読原稿Ｂの逆像をさらにハーフミラー１６で反射して正像化し、載置台１４の後方の演者Ｐに対し虚像として映し出すとともに、ハーフミラー１６を透過した載置台１４よりも前方側の背景実像を演者Ｐに対し映し出すようになっている。
【００２８】
ハーフミラー１６は、載置台１４に対して高さ方向に可変とする高さ可変機構部１７及び載置台１４に対して傾斜角度を可変とする角度可変機構部１８を介して載置台１４の左右の側壁１４ａの内面側に支持されている。
【００２９】
高さ可変機構部１７は、側壁１４ａの内面に固定された上下一対のブラケット１９と、ブラケット１９に固定された円筒状の下部パイプ２０と、下部パイプ２０にインロー方式で繋ぎ合わされた上部パイプ２１と、を備える。下部パイプ２０と上部パイプ２１とは、例えば、下部パイプ２０に形成された一つのネジ孔（図示せず）と、上部パイプ２１に形成された上下方向に点在する複数のネジ孔（図示せず）とを一致させてねじ止めすることで高さ調整を可能としている。なお、この高さ調整の構成は、上記に限定されず、ラックピニオン機構、モータ機構、ソレノイド機構、等を用いて伸縮可能若しくは昇降可能に構成することができる。
【００３０】
角度可変機構部１８は、例えば、上部パイプ２１の上端に形成された連結部２２に回動可能（揺動可能）に軸支された支持ブラケット２３と、支持ブラケット２３に保持されてハーフミラー１６の両面をサンドイッチ状態で挟持する保持ブラケット２４と、を備えている。
【００３１】
具体的には、図３に示すように、連結部２２は、上部パイプ２１の上端に潰し加工等によって形成されており、図示しないボルトの雄ネジ部が貫通する貫通穴２２ａが形成されている。
【００３２】
支持ブラケット２３は、連結部２２に重ね合わされて貫通穴２２ａと一致するようにボルトの雄ネジ部が貫通する貫通穴２３ａを形成した回転部２３ｂと、回転部２３ｂに対して直交する面状の座面部２３ｃと、が一体に形成されている。座面部２３ｃにはボルトやネジ等の雄ネジ部が貫通する貫通穴２３ｄが形成されている。
【００３３】
保持ブラケット２４は、例えば、ハーフミラー１６の後面側に位置して座面部２３ｃに固定するためのネジ穴２４ａを形成した後面側プレート２４ｂと、ハーフミラー１６の前面側に位置して後面側プレート２４ｂに固定される前面側プレート２４ｃと、を備えている。
【００３４】
これにより、例えば、図２に示すように、演者Ｐが立った状態での朗読姿勢と、図４に示すように、演者Ｐが座った状態での朗読姿勢とでハーフミラー１６の高さ及び角度を調整することにより、１台の装置で両姿勢での朗読を許容することができるようになっている。
【００３５】
このように、ハーフミラー１６は、載置台１４に対して高さ方向に可変とする高さ可変機構部１７を介して支持されていることにより、演者Ｐが立っている朗読姿勢の場合は勿論、演者Ｐが座っている朗読姿勢の場合であっても、同じ朗読支援装置１０で対応することができる。
【００３６】
さらに、ハーフミラー１６は、載置台１４に対して傾斜角度を可変とする角度可変機構部１８を介して支持されていることにより、ハーフミラー１６の高さ位置が変わり反射ミラー１５との位置関係が変わっても、きちんと朗読原稿Ｂの虚像を映し出すことができる。
【００３７】
また、載置部１３には、朗読原稿Ｂを照明する原稿用スポットライト３０と、前後方向における位置が、ハーフミラー１６と演者との間になるように設けられ、演者Ｐを照明する演者用スポットライト４０と、が設けられている。
【００３８】
原稿用スポットライト３０は、載置部１３の両端から外れた載置台１４の内側位置にあって、載置台１４の左端部近傍に設けられて右向きに照明光を照射する左側ライト３１と、載置台１４の右端部近傍に設けられて左向きに照明光を照射する右側ライト３２と、を有する。
【００３９】
なお、左側ライト３１と右側ライト３２とは、その配置と照明光の照射方向とが異なるのみで構成そのものは左右回転対称の実質同一である。
【００４０】
左側ライト３１と右側ライト３２とは、左右の側壁１４ａの内面に固定されており、ブラケット３３を介して調斜面が朗読原稿Ｂに向くようにボールジョイント方式等によって角度調節可能に設けられている。
【００４１】
左側ライト３１と右側ライト３２とは、載置部１３の両端から外れた載置台１４の内側位置に配置することによって、載置部１３に立て掛けた朗読原稿Ｂ及び反射ミラー１５による朗読原稿Ｂの全面反射を妨げず、朗読原稿Ｂを照明することができる。
【００４２】
演者用スポットライト４０は、ハーフミラー１６の上縁１６ａよりも上方かつ前方に位置して下向きに照明光を照射する上側ライト４１と、反射ミラー１５の上縁１５ａよりも下方かつ後方に位置して上向きに照明光を照射する下側ライト４２と、を有する。なお、下側ライト４２は、反射ミラー１５の両端から外れた載置台１４の外側位置にあって、左右１組配置されている。
【００４３】
上側ライト４１は、反射ミラー１５の上縁１５ａよりも下方かつ後方に位置して上向きに照明光を照射するように載置台１４に一つ配置されている。上側ライト４１は、載置台１４の一方側（この例では左側）にブラケット４３を介して先端が載置台１４の中央寄りに向かうよう上下逆向きのＬの字状に屈曲した支持アーム４４の先端にボールジョイント方式等によって角度調整可能に設けられている。
【００４４】
なお、上側ライト４１は、ハーフミラー１６の上縁１６ａよりも上方かつ前方に配置したのは、演者Ｐの頭上から照明光を照射するとともに、ハーフミラー１６に照明光が照射されないようにするためである。
【００４５】
下側ライト４２は、支持アーム４４にブラケット４５を介して軸線廻りに回転可能かつ上下方向に変位可能に設けられて右向きに照明光を照射する左下側ライト４６と、載置台１４の右側の側壁１４ａにブラケット４７及び支柱４８を介して軸線廻りに回転可能かつ上下方向に変位可能に設けられて左向きに照明光を照射する右下側ライト４９と、を備える。
【００４６】
左下側ライト４６と右下側ライト４９とは、反射ミラー１５の上縁１５ａよりも下方かつ後方に位置して上向きに照明光を照射するよう構成したのは、できるだけ演者Ｐの下側から照明光を照射するためである。
【００４７】
原稿用スポットライト３０は、載置部１３の両端から外れた載置台１４の内側位置にあって、載置台１４の左端部近傍に設けられて右向きに照明光を照射する左側ライト３１と、載置台１４の右端部近傍に設けられて左向きに照明光を照射する右側ライト３２と、を有することにより、左右２つの照明光が朗読原稿Ｂに対して死角(影となる部分)を補い、朗読原稿Ｂの全体、特に、中央の窪んだ部分を含めてクリアな朗読原稿Ｂ反射ミラー１５に反射させることができる。
【００４８】
演者用スポットライト４０は、ハーフミラー１６の上縁１６ａよりも上方かつ前方に位置して下向きに照明光を照射する上側ライト４１と、反射ミラー１５の上縁１５ａよりも下方かつ後方に位置して上向きに照明光を照射する下側ライト４２と、を有する。
【００４９】
このように、載置台１４の上方に位置し、ハーフミラー１６への照明光の照射を避けるように演者Ｐを頭上から照らす上側ライト４１と、載置台１４の左右（少なくとも一方でもよい）に位置して演者Ｐの顔を下方から照らすように配置した左下側ライト４６及び右下側ライト４９とを備えることにより、演者Ｐの顔付近を上下方向から照明することができ、それぞれの死角（影となる部分）を補い、演者Ｐの顔全体を聴衆側からから明るく見せることができる。
【００５０】
これにより、聴衆に対して演者Ｐが朗読原稿Ｂを朗読する場合の朗読支援に適用することができるうえ、虚像を見ながら聴衆に対し常時視線を投げかけて朗読することができるので、聴衆は「自分のほうを見て話してくれている」と感じることができ、臨場感が増し、気分を高揚させることができる。
【００５１】
ここで、実際には、載置台１４に置かれた朗読原稿Ｂを演者Ｐが手で頁を捲りながら朗読しているのであるが、聴衆からは朗読原稿Ｂの存在に気付くことがない。その結果、聴衆は、演者Ｐが覚えたセリフを言っているように見えるので、朗読原稿Ｂを読んでいることが見え見えの通常の朗読ショーに比べ、さらに臨場感が増すという効果も確保することができる。
【００５２】
しかも、演者Ｐと聴衆との間には、ハーフミラー１６が介在しているため、演者Ｐの朗読に伴う飛沫を防止することができるという効果も有している。
【００５３】
以上、添付図面を参照しながら本考案の実施の形態について詳細に説明した。しかしながら、本考案の技術的思想の範囲は、ここで説明した実施の形態に限定されないことは言うまでもない。本考案の属する技術の分野における通常の知識を有する者であれば、実用新案登録請求の範囲に記載された本考案の技術的思想の範囲内において、様々な変更や修正、組み合わせなどを行うことに想到できることは明らかである。したがって、これらの変更や修正、組み合わせなどの後の技術も、当然に本考案の技術的思想の範囲に属するものである。
【００５４】
図５及び図６は、このような変形例を示し、上述した演者用スポットライト４０は、ハーフミラー１６の上縁１６ａよりも上方かつ前方に位置して下向きに照明光を照射する上側ライト４１と、反射ミラー１５の上縁１５ａよりも下方かつ後方に位置して上向きに照明光を照射する下側ライト４２と、を載置台１４に設けた場合で説明したが、これらを独立させた演者用スポットライト５０を示す。
【００５５】
演者用スポットライト５０は、基台５１と、基台５１に設けられて先端が載置台１４の中央寄りに向かうよう上下逆向きのＬの字状に屈曲した支持アーム５２と、支持アーム５２の先端にボールジョイント方式等によって角度調整可能に設けられて反射ミラー１５の上縁１５ａよりも下方かつ後方に位置して上向きに照明光を照射するように載置台１４に一つ配置された上側ライト５３と、支持アーム５２にブラケット５４を介して軸線廻りに回転可能かつ上下方向に変位可能に設けられて右向きに照明光を照射する左下側ライト５５と、を備える。
【００５６】
これにより、演者Ｐに対する照明の自由度が高まり、例えば、演者Ｐが載置台１４から離れている場合などに容易に対応することができるうえ、例えば、複数の演者Ｐが出演する場合の照明の自由度を高めることができる。
【００５７】
以上説明したように、本考案に係る朗読支援装置１０は、反射ミラー１５の反射による朗読原稿Ｂの逆像をさらにハーフミラー１６で反射した正像を、載置台１４の後方の演者に対し虚像として映し出すとともに、ハーフミラー１６を透過した載置台１４よりも前方側の背景実像を演者に対し映し出すものであって、載置部１３に載置された朗読原稿Ｂを照明する原稿用スポットライト３０と、前後方向における位置が、ハーフミラー１６と演者との間になるように設けられ、演者を照明する演者用スポットライト４０と、を有することにより、聴衆に対して演者が本のような原稿を朗読する場合への適用を可能とすることができる。
【符号の説明】
【００５８】
１０          朗読支援装置
１１          基台
１２          支柱
１３          載置部
１４          載置台
１４ａ      側壁
１４ｂ      前壁
１５          反射ミラー
１５ａ      上縁
１６          ハーフミラー
１６ａ      上縁
１７          高さ可変機構部
１８          角度可変機構部
１９          ブラケット
２０          下部パイプ
２１          上部パイプ
２２          連結部
２２ａ      貫通穴
２３          支持ブラケット
２３ａ      貫通穴
２３ｂ      回転部
２３ｃ      座面部
２３ｄ      貫通穴
２４          保持ブラケット
２４ａ      ネジ穴
２４ｂ      後面側プレート
２４ｃ      前面側プレート
３０          原稿用スポットライト
３１          左側ライト
３２          右側ライト
３３          ブラケット
４０          演者用スポットライト
４１          上側ライト
４２          下側ライト
４３          ブラケット
４４          支持アーム
４５          ブラケット
４６          左下側ライト
４７          ブラケット
４８          支柱
４９          右下側ライト
５０          演者用スポットライト
５１          基台
５２          支持アーム
５３          上側ライト
５４          ブラケット
５５          左下側ライト
Ｂ          朗読原稿
Ｐ          演者
【図１】
0003231455.tif 000003
【図２】
0003231455.tif 000004
【図３】
0003231455.tif 000005
【図４】
0003231455.tif 000006
【図５】
0003231455.tif 000007
【図６】
0003231455.tif 000008